(57)【特許請求の範囲】
【請求項１】
穀稈を刈取る刈取装置（３）の刈取入力ギヤケース（７）に、入力プーリ（８ａ）を有する横向きの入力軸（８）を軸受けし、該入力軸（８）の所定位置に入力ギヤ（９）を取付け、該入力ギヤ（９）と噛み合い、下部に噛合爪（１０ａ）を設けた出力ギヤ（１０）を縦向きの出力軸（１１）に回転自在に取付け、該出力軸（１１）に対して支持パイプ（１３）を回転自在に嵌合し、該支持パイプ（１３）の上端部に前記噛合爪（１０ａ）と噛み合う上部噛合爪（１２ａ）を設け、該支持パイプ（１３）の下端部には、下部に爪クラッチ（１２ｂ）を有した中間ギヤ（１２）を取り付け、出力軸（１１）上における中間ギヤ（１２）の下方の部位に所定間隔をおいて下爪クラッチ（１６ａ）を有した変速用ギヤ（１６）を回転自在に設け、前記中間ギヤ（１２）と変速用ギヤ（１６）とを変速伝動経路（１８ａ）によって連動し、前記爪クラッチ（１２ｂ）に噛み合う上爪部（１５ｂ）と下爪クラッチ（１６ａ）に噛み合う下爪部（１５ｃ）とを有した摺動子（１５ａ）を出力軸（１１）上に軸芯方向摺動のみ自在に設けたことを特徴とするコンバインの刈取変速伝動装置。
【発明の詳細な説明】
【技術分野】
【０００１】
この発明は、コンバインの刈取変速伝動装置に関するものである。
【背景技術】
【０００２】
特許文献１に示すように、走行クローラを駆動するミッションケースと、刈取部、及び脱穀部とに、カウンターケースを介してエンジンの動力を伝えるコンバインにおいて、前記刈取部の駆動速度を変更する刈取変速機構を設ける仕様の場合には、流し込み機構と高速カット機構をカウンターケースに設けると共に、刈取変速機構を設けない仕様の場合に、該刈取機構を設ける仕様より流れ込み機構の速度を早くする技術が知られている。
【特許文献１】特開２００５−１２４４１４号公報
【発明の開示】
【発明が解決しようとする課題】
【０００３】
穀稈を刈取る刈取部の駆動速度を変更する刈取変速機構を設ける仕様と、この刈取変速機構を設けずに低価格化を狙った仕様とを設定する場合、この２つの仕様の製造コストの低減が困難となる。また、刈取変速機構を設けた仕様において、この変速が円滑に行なわれないと、刈取作業の能率が低下してしまう問題がある。
【課題を解決するための手段】
【０００４】
上述のような課題を解決するために、この発明は、次のような技術手段を講じる。
即ち、穀稈を刈取る刈取装置（３）の刈取入力ギヤケース（７）に、入力プーリ（８ａ）を有する横向きの入力軸（８）を軸受けし、該入力軸（８）の所定位置に入力ギヤ（９）を取付け、該入力ギヤ（９）と噛み合い、下部に噛合爪（１０ａ）を設けた出力ギヤ（１０）を縦向きの出力軸（１１）に回転自在に取付け、該出力軸（１１）に対して支持パイプ（１３）を回転自在に嵌合し、該支持パイプ（１３）の上端部に前記噛合爪（１０ａ）と噛み合う上部噛合爪（１２ａ）を設け、該支持パイプ（１３）の下端部には、下部に爪クラッチ（１２ｂ）を有した中間ギヤ（１２）を取り付け、出力軸（１１）上における中間ギヤ（１２）の下方の部位に所定間隔をおいて下爪クラッチ（１６ａ）を有した変速用ギヤ（１６）を回転自在に設け、前記中間ギヤ（１２）と変速用ギヤ（１６）とを変速伝動経路（１８ａ）によって連動し、前記爪クラッチ（１２ｂ）に噛み合う上爪部（１５ｂ）と下爪クラッチ（１６ａ）に噛み合う下爪部（１５ｃ）とを有した摺動子（１５ａ）を出力軸（１１）上に軸芯方向摺動のみ自在に設けたことを特徴とするコンバインの刈取変速伝動装置としたものである。
【発明の効果】
【０００５】
この発明によると、刈取変速操作が円滑に行なえ、刈取作業の能率を向上させることができると共に、この刈取変速機構を備える仕様と刈取変速機構を備えない仕様とに容易に組み替えできるため、製造コストを低減でき、安価に提供することができる。
【発明を実施するための最良の形態】
【０００６】
以下、本発明の一実施例を図面に基づいて説明する。
コンバイン１の走行車台２の前方部には、立毛穀稈を刈取る刈取装置３を設け、該走行車台２の上側には、刈取穀稈の供給を受けて脱穀する脱穀装置４と、脱穀済み穀粒の供給を受けて、一時貯留する穀粒貯留タンク５を載置している。
【０００７】
前記コンバイン１の走行車台２の下側には、図５で示すように、土壌面を走行する左右一対の走行クローラ２ｂを張設した走行装置２ａを配設し、走行車台２の上側面に脱穀装置４を載置している。該走行車台２の前方部の刈取装置３で立毛穀稈を刈り取りして、後方上部に移送し、該脱穀装置４のフィードチェン４ａと、挟持杆４ｂとで引継いで挟持移送しながら脱穀する。脱穀済みで選別済み穀粒は、該脱穀装置４の右横側へ配設した穀粒貯留タンク５内へ供給され、一時貯留される。
【０００８】
図１〜図４に示すように、前記刈取装置３の回転駆動は、該エンジン６の回転動力をエンジンプーリからベルトを介して、該刈取装置３の刈取入力ギヤケース７の上部に横方向に、左右両側のベアリング７ａで軸支して設けた、入力軸８の一方側端部に軸支した入力プーリ８ａを経て入力される構成である。
【０００９】
刈取入力ギヤケース７に、入力プーリ８ａを有する横向きの入力軸８を軸受けし、該入力軸８の所定位置に入力ギヤ９を取付ける。そして、該入力ギヤ９と噛み合い、下部に噛合爪１０ａを設けた出力ギヤ１０を縦向きの出力軸１１に回転自在に取付ける。更に、該出力軸１１に対して支持パイプ１３を回転自在に嵌合し、該支持パイプ１３の上端部に前記噛合爪１０ａと噛み合う上部噛合爪１２ａを設ける。そして、該支持パイプ１３の下端部には、下部に爪クラッチ１２ｂを有した中間ギヤ１２を取り付ける。更に、出力軸１１上における中間ギヤ１２の下方の部位に所定間隔をおいて下爪クラッチ１６ａを有した変速用ギヤ１６を回転自在に設ける。そして、前記中間ギヤ１２と変速用ギヤ１６とを、上変速ギヤ１７ａ、下変速ギヤ１７ｂ、これらを支持する変速軸１８からなる変速伝動経路１８ａによって連動させる。そして、前記爪クラッチ１２ｂに噛み合う上爪部１５ｂと下爪クラッチ１６ａに噛み合う下爪部１５ｃとを有した摺動子１５ａを出力軸１１上に軸芯方向摺動のみ自在に設ける。
【００１０】
この構成により、変速時の切り換え、取扱い、及び組立が容易になった。又、支持パイプ１３、中間ギヤ１２、上変速ギヤ１７ａ、下変速ギヤ１７ｂ、変速軸１８、変速用ギヤ１６、摺動子１５ａを取り外し、出力ギヤ１０を出力軸１１に固定するだけで、刈取変速機構のない刈取装置に組み替えできるため、部品生産上での生産コストの削減を図ることができる。
【００１１】
前記走行車台２の前方部には、図５で示すように、該刈取装置３を設け、該刈取装置３は前部より、立毛穀稈を分離するナローガイド１９、及び各分草体２０と、立毛穀稈を引起す各引起装置２１と、引起された穀稈を掻込みする穀稈掻込移送装置２２の各掻込装置２３と、掻込された穀稈を刈取る刈刃装置２４と、刈取りされた穀稈を挟持移送して脱穀装置４のフィードチェン４ａと、挟持杆４ｂとへ受渡しする該穀稈掻込移送装置２２の根元・穂先移送装置２６・２７等からなる刈取装置３を設けている。該刈取装置３は、油圧駆動による伸縮シリンダ２８により、土壌面に対して昇降する。
【００１２】
前記刈取装置３の前方下部から後方上部へ傾斜する支持杆２９の上端部に設ける支持パイプ杆３０を、走行車台２の上側面に設けた支持装置３１で回動自在に支持させている。該伸縮シリンダ２８を作動させると該支持杆２９と共に、該刈取装置３が上下回動する。
【００１３】
前記刈取装置３の穀稈掻込移送装置２２によって形成される穀稈移送経路中には、刈取られて移送する穀稈に接触作用することにより、脱穀装置４への穀稈の供給の有無を検出する穀稈センサ３ａを設けている。
【００１４】
前記穀粒貯留タンク５側の前部には、図５で示すように、コンバイン１を始動、停止、及び各部を調節等の操作を行う操作装置３２と、操縦席３３とを設け、この操縦席３３の下側にエンジン６を載置している。
【００１５】
前記走行車台２の前端部に装架した走行用ミッションケース３４内の伝動機構３４ａの伝動経路中には、その出力に基づいて、走行車速を検出するポテンショメータ方式の車速センサ３４ｂを設けている。
【００１６】
前記穀粒貯留タンク５内へ貯留した穀粒を機外へ排出するこの穀粒貯留タンク５の後側には、図５で示すように、縦移送螺旋３５ａを内装した排出支持筒３５を略垂直姿勢で旋回自在に装着して設け、この排出支持筒３５の上端部には、その全長がコンバイン１の前後長に亘る機外へ穀粒を排出する排出螺旋３６ａを伸縮自在に内装した排出オーガ３６を伸縮自在、上下回動自在、及び左右旋回自在に前後方向に配設している。
【００１７】
図６、及び図７で示すように、前記走行車台２の前側には、溝２ｃを設け、この溝２ｃと、操作装置３２の前側面との間で、下フロントカバー３３ａの上側には、略Ｌ字形状のフロントカバー３３ｂを設けている。このフロントカバー３３ｂの下方端部は、該走行車台２の前側の該溝２ｃ内へ挿入すると共に、上端部を該操作装置３２の前側面へボルト、及びナット等により、装着して、着脱自在に設けた構成である。３２ａは主変速レバーであり、３２ｂは操作レバーである。
【００１８】
これにより、水洗い、及び泥落としを容易にして、清掃の容易化を図り、メンテナンス性の向上、及び軽量化、部品点数の削減を図っている。
図８で示すように、前記エンジン６の外側には、ラジエータカバー３７を設けた構成で、このラジエータカバー３７には、防塵用の回転式の防塵スクリーン３７ａを設けた構成において、機体の前後方向で前部に駆動モータ３７ｂを設け、又、ラジエータカバー３７の外周部、及び上下方向の略中央部には、補強リブ３７ｃを設けている。３７ｄは該エンジン６のクーリングファンの回転軌跡を示すものである。
【００１９】
これにより、前記ラジエータカバー３７の下部には、藁屑、及び塵埃等が多く付着し、ラジエータの冷却性能の低下を防止すると共に、風速低下、乱流発生防止を行うことができる。
【００２０】
図９、及び図１０で示すように、前記主変速レバー３２ａと、センターモニター３８の上側面の前端部と、刈取上部伝動ケース３９の上方前端部と、分草体２０の前端部とは、前方下部へ略直線状に傾斜した位置に設けている。機体のステップ面（Ａ）に対して、該主変速レバー３２ａ、及び操向レバーなどの各操作レバー３２ｂの上端部を略平行に配設した構成である。
【００２１】
これにより、刈取り作業時には、刈り高さに集中しつつ、前記分草体２０の先端の視線と同時位置にして、センターモニター３８の情報が得られるだけでなく、左右の主変速レバー３２ａと、各種操作レバー３２ｂの機能スイッチも容易に視界に入り、運転姿勢が前かがみや、立ち作業になることがなく、オペレーターの負荷を軽減できる。
【００２２】
図１１、及び図１２で示すように、二番処理室４１には、二番移送螺旋を外径部に軸支した二番移送螺旋軸４１ａを軸支する一方側には、二番移送螺旋メタル４１ｂを設けている。該二番処理室４１の後側には、一番処理室４０を設けた構成である。該二番移送螺旋受メタル４１ｂの下部には、開閉式の開閉蓋４１ｃを設けている。
【００２３】
前記二番移送螺旋軸４１ａの前側には、揺動軸４２を軸支して設け、該揺動軸４２の一方側の外側軸端部には、揺動バランサ４２ａと、揺動用プーリ４２ｂとを軸支して設けている。
【００２４】
前記二番処理室４１と、該揺動軸４２との下側には、燃料タンク４３ａと、補助燃料タンク４３ｂとを設け、該補助燃料タンク４３ｂの後側の傾斜面４３ｃと、上側の揺動バランサ４２ａとの隙間（Ｂ）と、該補助燃料タンク４３ｂの後側の傾斜面４３ｃと、上側の二番移送螺旋受メタル４１ｂの下側面との隙間（Ｃ）とは、略同じ巾になるように該補助燃料タンク４３ｂの該傾斜面４３ｃを形成している。
【００２５】
これにより、前記二番処理室４１の清掃が容易である。又、該補助燃料タンク４３ｂの上側面に、藁屑等の堆積を防止、及び流下を容易にしている。
前記燃料タンク４３ａの底部（イ）と、補助燃料タンク４３ｂの底部（ロ）とは、図１３、及び図１４で示すように、該燃料タンク４３ａの底部（イ）を所定寸法（ハ）下部に位置させて設けていると共に、上部には、大径の接合パイプ４３ｄと、補助接合パイプ４３ｅとを設け、これら接合パイプ４３ｄと、補助接合パイプ４３ｅとは、継手パイプ４３ｆで接続した構成である。又、これら燃料タンク４３ａの下部には、下パイプ４４ａを設け、補助燃料タンク４３ｂの下部には、下補助パイプ４４ｂを設け、これら下パイプ４４ａと、下補助パイプ４４ｂとは、下継手パイプ４４ｃで接合した構成である。
【００２６】
これにより、前記燃料タンク４３ａと、該補助燃料タンク４３ｂとの底部用の該下継手パイプ４４ｃの接合は、大径過ぎると、走行クローラ２ｂや泥のかたまりとの干渉による、不具合の発生防止、該タンク４３ａと、該タンク４３ｂとのヘッド差により、増量部の燃料を有効に使用できる。
【００２７】
図１５、及び図１６で示すように、エンジンカバーフレーム（ＬＨ）４５ａと、エンジンカバーフレーム（ＲＨ）４５ｂとを設けた構成において、該エンジンカバーフレーム（ＬＨ）４５ａは、エンジンフレーム４５ｃとフレームクラッチ４６とに組付けする構成である。又、該エンジンカバーフレーム（ＲＨ）４５ｂは、該エンジンフレーム４５ｃとステップ４５ｄとに組付けする構成である。該エンジンカバーフレーム（ＬＨ）４５ａの下部には、フレーム構成を有しない構造としている。
【００２８】
これにより、前記エンジンカバーフレーム（ＬＨ）４５ａの下部の空間部の拡大により、メンテナンス性の向上を図ることができる。
図１５〜１８で示すように、前記エンジンカバーフレーム（ＬＨ）４５ａと、該エンジンカバーフレーム（ＲＨ）４５ｂとを設けた構成において、該エンジンカバーフレーム（ＬＨ）４５ａは、該エンジンフレーム４５ｃとフレームカバー４６とに組付けする構成である。又、該エンジンカバーフレーム（ＲＨ）４５ｂは、該エンジンフレーム４５ｃとステップ４５ｄとに組付けする構成である。該エンジンカバーフレーム（ＬＨ）４５ａの下部には、フレーム構成を有しない構造とする。更に、該エンジンカバー４７の前側には、メンテナンス用の開口部４７ａを設けた構成である。
【００２９】
これにより、前記エンジンカバーフレーム（ＬＨ）４５ａをフレームクラッチ４６に組付ける構成により、該エンジンカバー４７の前側の開口部４７ａの拡大により、メンテナンス性の向上を図ることができる。
【００３０】
前記コンバイン１の穀粒貯留タンク５内に貯留した穀粒を機外へ排出する穀粒移送排出装置のを、始動、及び停止操作するオーガ操作装置４８は、図１９、及び図２０で示すように、上・下ケース４８ａ、４８ｂよりなり、上部の主動作部４８ｃと、下部の副動作部４８ｄとに二分割すると共に、該主動作部４８ｃは、赤色のバックランプが点灯し、該主動作部４８ｃの表面部は赤色になり、又、該副動作部４８ｄは青色のバックランプが点灯し、該副動作部４８ｄの表面は青色になる構成である。
【００３１】
これにより、操作した側により、操作した側のバックランプの点灯色により、いずれの側が操作されたかが容易に視認（確認）できることにより、誤操作が防止でき、安全性の向上を図ることができる。
【００３２】
前記ナローガイド１９は、図２１〜図２３で示すように、前方部に前取付具１９ｂ’と、後方部に後取付具１９”を装着して設けた縦ナローガイド１９ａの該後取付具１９ｂ”と、支持杆１９ｈの先端部との間には、支持ピン１９ｆで接続した、折り畳み自在な内横支持杆１９ｃと、外横支持杆１９ｄとを設け、該外横支持杆１９ｄの外側端部を、外取付ピン１９ｅで該後取付具１９ｂ”に装着して設け、又、該内横支持杆１９ｃの内側端部を、該支持杆１９ｈの外端部へ支持ピン２０ｍで装着して設けている。
【００３３】
前記内横支持杆１９ｃには、支持ピン１９ｍを挿入して設け、この支持ピン１９ｍの該内横支持杆１９ｃの下側には、支持板１９ｎに設けた位置決め板１９ｒを上側面に設けた、該支持板１９ｎと、該支持板１９ｎの下側面に設けたボス用パイプ１９ｐとを挿入して、抜け止めを施すと共に、該内横支持杆１９ｃの上側には、座金と、スプリング１９ｓと、座金とを挿入して、抜け止めを施した構成であり、該内横支持杆１９ｃを上下移動自在に設けている。
【００３４】
前記支持板１９ｎの左右両側には、各ピン１９Ｑを設け、該支持杆１９ｈには、Ｌ字形状の受板１９ｊを設け、この受板１９ｊと、該支持板１９ｎの該各ピン１９Ｑとには、各ワイヤ２５を設け、このワイヤ２５の操作により、該支持板１９ｎが該支持ピン１９ｍを回動中心として回動され、ナローガイド１９の縦ナローガイド１９ａが外側へ拡張移動、又は内側へ縮納移動する構成である。又、過度の力が負荷されると、該位置決め板１９ｒ部から該内横支持杆１９ｃが外れる構成である。
【００３５】
これにより、前記ナローガイド１９の破損を防止することができる。
【図面の簡単な説明】
【００３６】
【図１】刈取入力ギャーケース上部の正断面図
【図２】出力ギャーと支持パイプ部との正断面図
【図３】図２のＤ−Ｄ断面図
【図４】図２のＥ−Ｅ断面図
【図５】コンバインの全体側面図
【図６】フロントカバー部の側面図
【図７】フロントカバー部の正面図
【図８】ラジエータカバー部の側面図
【図９】操縦席とセンターモニター部との側面図
【図１０】操縦席とセンターモニター部との正面図
【図１１】補助燃料タンクと二番移送螺旋受メタル、及び揺動バランサとの関係を示す側面図
【図１２】燃料タンクと補助燃料タンクとの関係を示す平面図
【図１３】燃料タンクと補助燃料タンクとの関係を示す正面図
【図１４】燃料タンクと補助燃料タンクとの接合関係を示す平面図
【図１５】エンジンカバーフレーム（ＬＨ）・（ＲＨ）とエンジンフレームとの関係を示す側面図
【図１６】エンジンカバーフレーム（ＬＨ）・（ＲＨ）とエンジンフレームとの関係を示す正面図
【図１７】エンジンカバーの開口部の側面図
【図１８】エンジンカバーの開口部の正面図
【図１９】オーガ操作装置の正面図
【図２０】オーガ操作装置の側面図
【図２１】ナローガイドの全体平面図
【図２２】ナローガイドの取付部の背面図
【図２３】図２１のＦ−Ｆ断面図
【符号の説明】
【００３７】
３    刈取装置
７    刈取入力ギヤケース
８    入力軸
８ａ  入力プーリ
９    入力ギヤ
１０    出力ギヤ
１０ａ  噛合爪
１１    出力軸
１２    中間ギヤ
１２ａ  上部噛合爪
１２ｂ  爪クラッチ
１３    支持パイプ
１５ａ  摺動子
１５ｂ  上爪部
１５ｃ  下爪部
１６    変速用ギヤ
１６ａ  下爪クラッチ
１８ａ  変速伝動経路
【図１】
0005034982.tif 000002
【図２】
0005034982.tif 000003
【図３】
0005034982.tif 000004
【図４】
0005034982.tif 000005
【図５】
0005034982.tif 000006
【図６】
0005034982.tif 000007
【図７】
0005034982.tif 000008
【図８】
0005034982.tif 000009
【図９】
0005034982.tif 000010
【図１０】
0005034982.tif 000011
【図１１】
0005034982.tif 000012
【図１２】
0005034982.tif 000013
【図１３】
0005034982.tif 000014
【図１４】
0005034982.tif 000015
【図１５】
0005034982.tif 000016
【図１６】
0005034982.tif 000017
【図１７】
0005034982.tif 000018
【図１８】
0005034982.tif 000019
【図１９】
0005034982.tif 000020
【図２０】
0005034982.tif 000021
【図２１】
0005034982.tif 000022
【図２２】
0005034982.tif 000023
【図２３】
0005034982.tif 000024